(57)【特許請求の範囲】
【請求項１】
同一の表示識別子を有する複数の機器を検出する機器検出部と、
前記検出した複数の機器の表示識別子を、登録対象となる機器を指定するための指定画面に１つに集約して表示する表示部と、
前記表示した表示識別子が指定されると、登録削除の有無を含む前記検出した複数の機器への自装置の登録履歴を参照し、前記登録履歴が管理されていない新規に登録対象となる機器を、登録優先度が最も高い機器として選択する機器選択部と、
前記選択した機器に自装置の登録を要求する登録要求部と、を備え、
前記機器選択部は、前記新規に登録対象となる機器が存在しない場合に、前記検出した複数の機器のうち、自装置の登録が削除されている機器を選択可能である、
機器制御装置。
【請求項２】
前記機器選択部は、前記検出した複数の機器のうち、前記新規に登録対象となる機器であって、最も近くに位置する機器を、前記登録優先度が最も高い機器として選択する、請求項１に記載の機器制御装置。
【請求項３】
前記機器選択部は、前記検出した複数の機器のうち、登録優先度が最も高い機器が登録可能な状態にないとき、登録可能な状態にある他の機器を選択する、請求項１または２に記載の機器制御装置。
【請求項４】
機器制御装置によって、
同一の表示識別子を有する複数の機器を検出し、
前記検出した複数の機器の表示識別子を、登録対象となる機器を指定するための指定画面に１つに集約して表示し、
前記表示した表示識別子が指定されると、登録削除の有無を含む前記検出した複数の機器への自装置の登録履歴を参照し、前記登録履歴が管理されていない新規に登録対象となる機器を、登録優先度が最も高い機器として選択し、
前記選択した機器に自装置の登録を要求すること、を含み、
前記新規に登録対象となる機器が存在しない場合には、前記検出した複数の機器のうち、自装置の登録が削除されている機器を選択する、機器制御装置の登録方法。
【請求項５】
機器制御装置によって、
同一の表示識別子を有する複数の機器を検出し、
前記検出した複数の機器の表示識別子を、登録対象となる機器を指定するための指定画面に１つに集約して表示し、
前記表示した表示識別子が指定されると、登録削除の有無を含む前記検出した複数の機器への自装置の登録履歴を参照し、前記登録履歴が管理されていない新規に登録対象となる機器を、登録優先度が最も高い機器として選択し、
前記選択した機器に自装置の登録を要求すること、を含み、
前記新規に登録対象となる機器が存在しない場合には、前記検出した複数の機器のうち、自装置の登録が削除されている機器を選択する、機器制御装置の登録方法をコンピュータに実行させるためのプログラム。
【発明の詳細な説明】
【技術分野】
【０００１】
本発明は、機器制御装置、機器制御装置の登録方法およびプログラムに関する。
【背景技術】
【０００２】
従来、機器制御装置では、通信回線を通じて制御可能な機器に自装置を登録させることが行われている。このような機器制御装置では、まず、制御可能な機器が検出されると、検出した機器から表示識別子を含む機器情報が取得される。次に、登録対象となる機器を指定するための指定画面に機器の表示識別子が表示される。そして、表示識別子を通じてユーザにより機器が指定されると、指定された機器に対して自装置の登録が要求される。
【発明の概要】
【発明が解決しようとする課題】
【０００３】
しかし、従来の機器制御装置では、同一の表示識別子を有する複数の機器が検出されると、指定画面に同一の表示識別子が複数表示されたり、異なるシーケンス番号をそれぞれに付与された同一の表示識別子が複数表示されたりする場合がある。このため、ユーザは、同一の複数の表示識別子から、または異なるシーケンス番号を付与された同一の複数の表示識別子から、登録対象となる機器を指定することになり、機器の指定に混乱を来たしてしまうことがある。
【０００４】
そこで、本発明は、同一の表示識別子を有する複数の機器から登録対象となる機器に対して登録を容易に要求できる、機器制御装置、機器制御装置の登録方法およびプログラムを提供しようとするものである。
【課題を解決するための手段】
【０００５】
本発明のある観点によれば、同一の表示識別子を有する複数の機器を検出する機器検出部と、検出した複数の機器の表示識別子を、登録対象となる機器を指定するための指定画面に１つに集約して表示する表示部と、表示した表示識別子が指定されると、検出した複数の機器のうち、新規に登録対象となる機器または最も近くに位置する機器を、登録優先度が最も高い機器として選択する機器選択部と、選択した機器に自装置の登録を要求する登録要求部とを備える機器制御装置が提供される。
【０００６】
機器選択部は、検出した複数の機器のうち、新規に登録対象となり、かつ最も近くに位置する機器を、登録優先度が最も高い機器として選択してもよい。
【０００７】
機器選択部は、検出した複数の機器のうち、登録優先度が最も高い機器が登録可能な状態にないとき、登録可能な状態にある他の機器を選択してもよい。
【０００８】
本発明の他の観点によれば、機器制御装置によって、同一の表示識別子を有する複数の機器を検出し、検出した複数の機器の表示識別子を、登録対象となる機器を指定するための指定画面に１つに集約して表示し、表示した表示識別子が指定されると、検出した複数の機器のうち、新規に登録対象となる機器または最も近くに位置する機器を、登録優先度が最も高い機器として選択し、選択した機器に自装置の登録を要求することを含む機器制御装置の登録方法が提供される。
【０００９】
本発明の他の観点によれば、上記機器制御装置の登録方法をコンピュータに実行させるためのプログラムが提供される。ここで、プログラムは、コンピュータ読取り可能な記録媒体を用いて提供されてもよく、通信手段等を介して提供されてもよい。
【発明の効果】
【００１０】
本発明によれば、本発明は、同一の表示識別子を有する複数の機器から登録対象となる機器に対して登録を容易に要求できる、機器制御装置、機器制御装置の登録方法およびプログラムを提供することができる。
【図面の簡単な説明】
【００１１】
【図１】一般的な機器制御システムの全体構成を示す図である。
【図２】一般的な遠隔操作システムによる登録の手順を示すシーケンス図である。
【図３】図２に示す遠隔操作システムによる登録を説明するための図（１／２）である。
【図４】図２に示す遠隔操作システムによる登録を説明するための図（２／２）である。
【図５】本発明の実施形態に係る操作端末の機能構成を示すブロック図である。
【図６】操作端末を用いた登録の手順を示すシーケンス図である。
【図７】機器の登録履歴に基づく登録を説明するための図である。
【図８】機器との距離に基づく登録を説明するための図である。
【発明を実施するための形態】
【００１２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１３】
［１．機器制御システムの構成］
図１は、一般的な機器制御システムの全体構成を示す図である。図１に示すように、機器制御システムは、複数の機器１（例えば機器１ａ〜１ｄ）と、複数の機器１を通信回線ＮＷを通じて制御可能な機器制御端末２とを含んでいる。
【００１４】
複数の機器１（機器の総称）は、例えば、ディスプレイ、プロジェクタ、プリンター、レコーダ、カメラ、オーディオシステム、パーソナルコンピュータ、家電機器等、通信回線ＮＷを通じて機器制御装置２により制御可能な機器１である。機器制御装置２は、リモートコントローラ、携帯情報端末、携帯電話、ディスプレイ、パーソナルコンピュータ等、通信回線ＮＷを通じて複数の機器１を制御可能な端末である。通信回線ＮＷは、有線もしくは無線のネットワーク等、双方向性の通信回線である。機器制御システムでは、機器制御装置２が通信回線ＮＷを通じて制御可能な機器１に対して登録される。
【００１５】
以下では、機器制御システムの一例として、操作対象となる複数の機器１と、複数の機器１をネットワークＮＷを通じて操作可能なリモートコントローラ等の操作端末２とからなる遠隔操作システムについて説明する。遠隔操作システムでは、操作端末２がネットワークＮＷを通じて操作可能な機器１に対して登録される。なお、遠隔操作システムは、あくまでも、機器制御装置２が通信回線ＮＷを通じて制御可能な機器１に対して登録される機器制御システムの一例に過ぎない。
【００１６】
［２．一般的な遠隔操作システムによる登録の手順］
図２は、一般的な遠隔操作システムによる登録の手順を示すシーケンス図である。図２は、操作端末２と、複数の機器１ａ〜１ｄとからなる遠隔操作システムを示している。ここで、機器１ａ〜１ｃは、同一の表示識別子ＩＤａ〜ＩＤｃ（機器名、モデル名等）を有し、機器１ｄは、機器１ａ〜１ｃとは異なる表示識別子ＩＤｄを有しているとする。また、機器１ａは、操作端末２を登録済みの機器１であり、機器１ｂは、操作端末２の登録が削除された機器１であり、機器１ｃ、１ｄは、新規に登録対象となる機器１であるとする。
【００１７】
図２に示すように、操作端末２の登録において、操作端末２は、ネットワークＮＷを通じて制御可能な機器１ａ〜１ｄを検出する。操作端末２は、自らの接続情報を含む検出要求をネットワークＮＷ上に配信する（ステップＳ１２）。なお、機器１の検出は、ユーザＵからの検出指示（ステップＳ１１）に応じて行われてもよく、所定条件が満たされた状態で操作端末２により自動的に行われてもよい。
【００１８】
機器１ａ〜１ｄは、検出要求を受信すると、自らの機器情報を含む検出応答を操作端末２に送信する（ステップＳ１３〜Ｓ１６）。機器情報は、機器１のネットワークアドレス、通信プロトコル等とともに、表示識別子ＩＤ（機器名、モデル名等）を含んでいる。操作端末２は、検出応答を受信すると、登録対象となる機器１を指定するための指定画面Ｓに、機器１ａ〜１ｄのうち登録済みの機器１ａを除く機器１ｂ〜１ｄの表示識別子ＩＤｂ〜ＩＤｄを表示する（ステップＳ１７）。なお、指定画面Ｓでは、操作端末２の登録を削除する操作を行うこともできるが、詳細な説明は省略する。
【００１９】
そして、指定画面Ｓが表示されると、ユーザＵは、機器１ｂ〜１ｄの表示識別子ＩＤｂ〜ＩＤｄを通じて登録対象となる機器１を指定することで、操作端末２に登録を指示する（ステップＳ１８）。以下では、機器１ｃが指定されたとして説明を続ける。操作端末２は、登録の指示を受けると、自らの設定情報を含む登録要求を指定された機器１ｃに送信する（ステップＳ１９）。
【００２０】
機器１ｃは、登録要求を受信すると、自らが登録可能な状態（登録待ちの状態等）にあるかを判定する。そして、機器１ｃは、登録可能な状態にあれば（ステップＳ２０）、設定情報に基づき操作端末２を登録し（ステップＳ２１）、登録完了応答を操作端末２に送信する（ステップＳ２２）。一方、機器１ｃは、登録可能な状態になければ（ステップＳ２４）、操作端末２を登録せずに、自らのステータス情報とともに登録未了応答を操作端末２に通知する（ステップＳ２５）。操作端末２は、登録完了応答を受信すると、登録完了をユーザＵに通知し（ステップＳ２３）、登録未了応答を受信すると、機器１ｃの状態をステータス情報に基づきユーザＵに通知する（ステップＳ２６）。
【００２１】
ここで、指定画面Ｓには、例えば図３に示すように、機器１ｂ〜１ｄの表示識別子ＩＤｂ〜ＩＤｄが表示される。図３に示す例では、機器１ｂ、１ｃの表示識別子ＩＤｂ、ＩＤｃは、異なるシーケンス番号をそれぞれに付与されて、機器１ｄの表示識別子ＩＤｄとともに並べて表示されている。なお、シーケンス番号は、例えば検出応答の受信順序等に基づき操作端末２により自動的に付与される番号であり、ユーザＵによる機器１の判別を容易にすることはない。また、機器１ｂ、１ｃの表示識別子ＩＤｂ、ＩＤｃは、シーケンス番号も付与されずに、機器１ｄの表示識別子ＩＤｄとともに並べて表示されることもある。しかし、このような指定画面Ｓでは、ユーザＵは、同一の表示識別子ＩＤ（表示識別子の総称）を有する機器１を適切に判別することができないので、機器１の指定に混乱を来たしてしまう。
【００２２】
また、指定画面Ｓには、例えば図４に示すように、機器１ｂ〜１ｄの表示識別子ＩＤｘ、ＩＤｄが表示されることもある。図４に示す例では、機器１ｂ、１ｃの表示識別子ＩＤｂ、ＩＤｃは、１つの表示識別子ＩＤｘに集約されて（名寄せされて）、機器１ｄの表示識別子ＩＤｄとともに並べて表示されている。集約された表示識別子ＩＤｘ（集約表示識別子ＩＤｘとも称する。）は、機器１ｄの表示識別子ＩＤｄと同様に表示されているので、ユーザＵは、他の表示識別子ＩＤｄと同様に単一の機器１の表示識別子ＩＤとして認識することになる。なお、操作端末２は、機器１ｂ、１ｃの表示識別子ＩＤｂ、ＩＤｃを、例えば検出応答の受信順序等に関連付けて保持している。
【００２３】
そして、ユーザＵが集約表示識別子ＩＤｘを指定すると、例えば検出応答が最も早く受信された機器１に対する登録が指示されたと想定して以降の処理を行う。しかし、機器１ｃよりも先に機器１ｂの検出応答が受信されると、ユーザＵが新規の登録対象となる機器１ｃを登録したくても、機器１ｂに対して登録が要求されてしまう。このような処理では、ユーザＵは、同一の表示識別子ＩＤを有する機器１を適切に指定することができず、機器１の指定に混乱を来たしてしまう。
【００２４】
［３．操作端末２の機能構成］
図５は、本発明の実施形態に係る操作端末２の機能構成を示すブロック図である。図５に示すように、操作端末２は、通信部１１、操作部１２、表示部１３、制御部１４を含んでいる。制御部１４は、機器検出部１５、機器選択部１６および登録要求部１７としても機能する。
【００２５】
通信部１１は、ネットワークＮＷを通じて機器１との間で通信する。通信部１１は、機器検出のために、ネットワークＮＷ上に検出要求を配信し、接続可能な機器１から検出応答を受信する。通信部１１は、登録のために、登録要求を特定の機器１に送信し、特定の機器１が登録可能な状態にあるか否かに応じて、登録完了応答または登録未了応答を受信する。通信部１１は、複数の機器１との間でネットワークＮＷを通じて双方向通信を行うための通信デバイスとして構成される。
【００２６】
操作部１２は、機器検出の指示、登録対象となる機器１の指定等をユーザＵから受ける。操作部１２は、キー、ボタン、タッチセンサ等の入力デバイスとして構成される。
【００２７】
表示部１３は、登録対象となる機器１を指定するための指定画面Ｓ、登録の結果、機器１の状態等を表示する。表示部１３は、特に、同一の表示識別子ＩＤを有する複数の機器１の表示識別子ＩＤを１つの表示識別子ＩＤに集約し（名寄せして）、集約表示識別子ＩＤｘとして指定画面Ｓに表示する。表示部１３は、液晶ディスプレイ（ＬＣＤ）、有機ＥＬディスプレイ、プラズマディスプレイ等として構成され、ユーザＵによる操作入力が可能なタッチパネルとして構成されてもよい。
【００２８】
制御部１４は、操作端末２の動作を実現するための演算処理や制御処理を行う。制御部１４は、通信部１１と協働して、同一の表示識別子ＩＤを有する複数の機器１を検出する機器検出部１５としても機能する。制御部１４は、検出した複数の機器１のうち登録優先度が最も高い機器１を選択する機器選択部１６としても機能する。制御部１４は、選択した機器１に操作端末２の登録を要求する登録要求部１７としても機能する。制御部１４は、ＣＰＵ、ＲＯＭ，ＲＡＭ等からなり、ＣＰＵがＲＯＭ等に記憶されたプログラムをＲＡＭ上に展開して実行することで、後述する操作端末２の動作を実現する。
【００２９】
［４．操作端末２の動作］
図６は、操作端末２を用いた登録の手順を示すシーケンス図である。図６は、図２と同様に、操作端末２と、複数の機器１ａ〜１ｄとからなる遠隔操作システムを示している。ここで、機器１ａ〜１ｃは、同一の表示識別子ＩＤａ〜ＩＤｃ（機器名、モデル名等）を有し、機器１ｄは、機器１ａ〜１ｃとは異なる表示識別子ＩＤｄを有しているとする。また、機器１ａは、操作端末２を登録済みの機器１であり、機器１ｂは、操作端末２の登録が削除された機器１であり、機器１ｃ、１ｄは、新規に登録対象となる機器１であるとする。
【００３０】
図６に示すように、操作端末２の登録において、機器検出部１５は、通信部１１と協働して、制御可能な機器１ａ〜１ｄを検出する。機器１ａ〜１ｄは、検出要求を受信すると（ステップＳ５２）、検出応答を操作端末２に送信する（ステップＳ５３〜Ｓ５６）。登録要求部１７は、機器１ａ〜１ｄから検出応答が受信されると、機器情報から機器１ａ〜１ｄのうち機器１ａが操作端末２を登録済みの機器１であると判断する。制御部１４は、表示部１３と協働して、登録済みの機器１ａを除く機器１ｂ〜１ｄの表示識別子ＩＤｂ〜ＩＤｄを指定画面Ｓに表示する。なお、表示識別子ＩＤｂ〜ＩＤｄは、機器情報の一部として検出応答に含まれている。
【００３１】
ここで、制御部１４は、機器情報から機器１ｂ、１ｃの表示識別子ＩＤｂ、ＩＤｃが同一であると判断すると、機器１ｂ、１ｃの表示識別子ＩＤｂ、ＩＤｃを１つの表示識別子ＩＤとして集約（名寄せ）する（ステップＳ５７）。制御部１４は、表示部１３と協働して、図７に示すように、機器１ｂ、１ｃの集約表示識別子ＩＤｘと、機器１ｄの表示識別子ＩＤｄとを指定画面Ｓに表示する（ステップＳ５８）。
【００３２】
ここで、同一の表示識別子ＩＤｂ、ＩＤｃを有する機器１が集約表示識別子ＩＤｘにより表示されるので、ユーザＵは、同一の複数の表示識別子ＩＤｂ、ＩＤｃから、または異なるシーケンス番号を付与された同一の複数の表示識別子ＩＤｂ、ＩＤｃから、登録対象となる機器１を指定しなくてもよく、機器１の指定に混乱しなくてもすむ。なお、表示識別子ＩＤｂ、ＩＤｃを１つに集約しても、制御部１４は、機器情報に基づき機器１ｂ、１ｃを判別可能な状態にある。
【００３３】
まず、機器１ｄに対する登録が指示された場合について説明する。この場合、制御部１４は、操作部１２を通じて、機器１ｄの表示識別子ＩＤｄを指定した登録の指示を受ける。すると、制御部１４は、機器１ｄの表示識別子ＩＤｄが集約表示識別子ＩＤｘではないと判断し、登録要求部１７は、操作端末２の設定情報を含む登録要求を機器１ｄに送信する。
【００３４】
機器１ｄは、登録要求を受信すると、自らが登録可能な状態（登録待ちの状態等）にあるかを判定する。そして、機器１ｄは、登録可能な状態にあれば、設定情報に基づき操作端末２を登録し、登録完了応答を操作端末２に送信する。制御部１４は、登録完了応答が受信されると、表示部１３と協働して、登録完了をユーザＵに通知する。また、制御部１４は、表示部１３と協働して、指定画面Ｓに機器１ｂ、１ｃの集約表示識別子ＩＤｘのみを表示するように、指定画面Ｓの表示を更新する。
【００３５】
つぎに、集約表示識別子ＩＤｘに相当する機器１ｂ、１ｃに対する登録が指示された場合について説明する。この場合、制御部１４は、操作部１２を通じて、集約表示識別子ＩＤｘを指定した登録の指示を受ける（ステップＳ５９）。すると、機器選択部１６は、機器１ｂ、１ｃのうち登録優先度が最も高い機器１を選択する（ステップＳ６０）。ここでは、機器１ｃが選択された場合を想定して説明を続ける。なお、機器１に対する登録優先度は、後述するように、機器１の登録履歴ＨＩ、機器１との距離情報ＤＩ等から決定される。機器１ｃが選択されると、登録要求部１７は、通信部１１と協働して、操作端末２の設定情報とともに機器１ｃに登録要求を送信する（ステップＳ６１）。
【００３６】
機器１ｃは、登録要求を受信すると、自らが登録可能な状態（登録待ちの状態等）にあるかを判定する（ステップＳ６２）。そして、機器１ｃは、登録可能な状態にあれば、設定情報に基づき操作端末２を登録し（ステップＳ６３）、登録完了応答を操作端末２に送信する（ステップＳ６４）。一方、機器１ｃは、登録不能な状態にあれば（ステップＳ６５）、自らのステータス情報を含む登録未了応答を操作端末２に通知する（ステップＳ６６）。登録要求部１７は、登録未了応答が受信されると、集約表示識別子ＩＤｘに相当する機器１ｂ、１ｃのうち、登録可能な状態にある他の機器１ｂを選択し、機器１ｃの場合と同様に処理を行う。
【００３７】
図７は、機器１の登録履歴ＨＩに基づく登録を説明するための図である。図７に示すように、操作端末２では、機器１に対する操作端末２の登録履歴ＨＩが管理されている。登録履歴ＨＩとしては、機器１に対する登録とともに、登録の削除の有無が管理されている。図７に示す例によれば、操作端末２が機器１ａに対して登録されており、機器１ｂおよび１ｅに対する登録が削除されていることが分かる。
【００３８】
機器選択部１６は、登録履歴ＨＩを参照して、新規に登録対象となる機器１を登録優先度が最も高い機器１として選択する。ここで、機器１の登録は、新規に登録対象となる機器１に対して一般に行われるので、新規に登録対象となる機器１は、他の機器１よりも登録対象となる可能性が高いといえる。このため、新規に登録対象となる機器１を優先的に選択することで、ユーザＵの所望する機器１に対して高い確率で登録を要求できる。図７に示す例では、集約表示識別子ＩＤｘに対応する機器１ｂ、１ｃのうち、機器１ｃへの登録履歴ＨＩが管理されていない。よって、機器選択部１６は、機器１ｃを新規に登録対象となる機器１と判断して選択する。
【００３９】
なお、新規に登録対象となる機器１が存在しない場合、登録が削除されている機器１（例えば機器１ｂ）が選択されてもよい。また、選択された機器１が登録不能な状態にあれば、登録可能な状態にある他の機器１（例えば機器１ｂ）が選択されてもよい。また、新規に登録対象となる機器１が複数ある場合、これらの複数の機器１が選択されてもよい。
【００４０】
図８は、機器１との距離情報ＤＩに基づく登録を説明するための図である。図８に示すように、操作端末２では、制御可能な機器１との距離が取得される。機器１との距離情報ＤＩは、例えば、機器１からＧＰＳ等の位置情報として取得されてもよく、機器１との間で行われる距離測定の結果や、機器１から受信される信号の強度として取得されてもよい。図８に示す例によれば、機器１ａとの距離Ｄａ、機器１ｂとの距離Ｄｂ、機器１ｃとの距離Ｄｃ、機器１ｄとの距離Ｄｄは、Ｄｄ＜Ｄｃ＜Ｄｂ＜Ｄａという関係にある。
【００４１】
機器選択部１６は、機器１との距離情報ＤＩを参照して、最も近くに位置する機器１を登録優先度が最も高い機器１として選択する。ここで、操作端末２の登録は、登録対象となる機器１の近くで一般に行われるので、操作端末２の最も近くに位置する機器１は、他の機器１よりも登録対象となる可能性が高いといえる。このため、最も近くに位置する機器１を優先的に選択することで、ユーザＵの所望する機器１に対して高い確率で登録を要求できる。図８に示す例では、集約表示識別子ＩＤｘに対応する機器１ｂ、１ｃのうち、機器１ｃが最も近くに位置している。よって、機器選択部１６は、機器１ｃを最も近くに位置する機器１と判断して選択する。
【００４２】
さらに、機器選択部１６は、機器１に対する登録履歴ＨＩと機器１との距離情報ＤＩの両方を参照して、登録優先度を決定してもよい。例えば、新規に登録対象となる機器１が複数存在する場合、最も近くに位置する機器１を優先的に選択することで、ユーザＵの所望する機器１に対してさらに高い確率で登録を要求できる。
【００４３】
以上説明したように、本実施形態に係る機器１の登録方法によれば、同一の表示識別子ＩＤを有する複数の機器１が１つの集約表示識別子ＩＤｘに集約して表示される。そして、集約表示識別子ＩＤｘを通じて登録対象となる機器１が指定されると、新規に登録対象となる機器１および／または最も近くに位置する機器１が、登録優先度が最も高い機器１として選択されて登録が要求される。
【００４４】
これにより、ユーザＵは、同一の表示識別子ＩＤを有する複数の機器１が存在する場合でも、集約表示識別子ＩＤｘを通じて機器１を指定することで、機器１の指定に混乱しなくてもすむ。また、集約表示識別子ＩＤｘを通じて機器１を指定すると、新規に登録対象となる機器１および／または最も近くに位置する機器１が優先的に選択されて登録が要求されるので、ユーザＵの所望する機器１に対して高い確率で登録を要求できる。よって、ユーザＵは、同一の表示識別子ＩＤを有する複数の機器１から登録対象となる機器１に対して登録を容易に要求できる。
【００４５】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４６】
１、１ａ〜１ｄ    機器
２    操作端末
３    ネットワーク
１１    通信部
１２    操作部
１３    表示部
１５    機器検出部
１６    機器選択部
１７    登録要求部
ＩＤ、ＩＤａ〜ＩＤｄ    表示識別子
ＩＤｘ    集約表示識別子
【図１】
0005644449.tif 000002
【図２】
0005644449.tif 000003
【図３】
0005644449.tif 000004
【図４】
0005644449.tif 000005
【図５】
0005644449.tif 000006
【図６】
0005644449.tif 000007
【図７】
0005644449.tif 000008
【図８】
0005644449.tif 000009